(57)【要約】【課題】  本発明は、電子装置、画面情報出力方法及びプログラムに関し、電子装置の画面情報を外部へ出力中に電子装置に着信があっても、電子装置の着信画面以外の画面情報を継続して外部へ出力可能とすることを目的とする。【解決手段】  着信画面情報を含む複数の画面情報を格納する記憶部と、画面情報を表示する表示部と、外部出力機能がオンに設定されていると、記憶部に格納された画面情報のうち外部出力するべき任意の画面情報を外部へ出力すると共に表示部に表示する出力制御部とを備え、出力制御部は、外部出力機能がオンに設定されている状態で着信があると、任意の画面情報の外部への出力を継続し、記憶部に格納されている着信画面情報を表示部に表示するように構成する。【選択図】  図１
2007006173.tif 000002
【特許請求の範囲】
【請求項１】
着信画面情報を含む複数の画面情報を格納する記憶手段と、
該画面情報を表示する表示手段と、
外部出力機能がオンに設定されていると、該記憶手段に格納された画面情報のうち外部出力するべき任意の画面情報を外部へ出力すると共に該表示手段に表示する出力制御手段とを備え、
該出力制御手段は、該外部出力機能がオンに設定されている状態で着信があると、該任意の画面情報の外部への出力を継続し、該記憶手段に格納されている該着信画面情報を該表示手段に表示することを特徴とする、電子装置。
【請求項２】
入力手段と、
外部出力アプリケーション及び着信アプリケーションを含む、複数のアプリケーションを実行するアプリケーション実行手段と、
該外部出力機能がオンに設定されている状態では、該入力手段の操作による入力や指示を該外部出力アプリケーションで処理し、着信があると該着信アプリケーションで処理し、通話終了後には該外部出力アプリケーションで処理するようにアプリケーションを切り替える切り替え処理を行う切り替え手段とを更に備えたことを特徴とする、請求項１記載の電子装置。
【請求項３】
該記憶手段は、該表示手段に表示するべき画面情報を格納する第１の領域と、該第１の領域とは異なり外部出力するべき画面情報を格納する第２の領域とを含み、
該出力制御手段は、該外部出力機能がオンに設定されていると、該第１の領域に格納された該表示手段に表示するべき画面情報を該第２の領域に書き込むことを特徴とする、請求項１又は２記載の電子装置。
【請求項４】
該出力制御手段は、該外部出力機能がオンに設定されている状態で着信があると、該記憶手段の該第２の領域に格納されている該任意の画面情報の外部への出力を継続し、該記憶手段の該第１の領域に格納されている該着信画面情報を該表示手段に表示することを特徴とする、請求項３記載の電子装置。
【請求項５】
着信画面情報を含む複数の画面情報を格納する記憶手段と、
該画面情報を表示する表示手段と、
外部出力機能がオンに設定されていると、該記憶手段に格納された画面情報のうち外部出力するべき任意の画面情報を外部へ出力すると共に該表示手段に表示する出力制御手段とを備え、
該出力制御手段は、該外部出力機能がオンに設定されると、自動的に留守番サービス機能をオンに設定し、
該留守番サービス機能がオンに設定されていると、あたかも圏外にあるかのように振舞うと共に着信は留守番サービスセンタで代わって行われることを特徴とする、電子装置。
【請求項６】
記憶手段に格納された着信画面情報を含む複数の画面情報を表示手段に表示する表示ステップと、
外部出力機能がオンに設定されていると、該記憶手段に格納された画面情報のうち外部出力するべき任意の画面情報を外部へ出力すると共に該表示手段に表示する出力制御ステップとを含み、
該出力制御ステップは、該外部出力機能がオンに設定されている状態で着信があると、該任意の画面情報の外部への出力を継続し、該記憶手段に格納されている該着信画面情報を該表示手段に表示することを特徴とする、画面情報出力方法。
【請求項７】
コンピュータに画面情報を出力させるプログラムであって、
該コンピュータに、記憶手段に格納された着信画面情報を含む複数の画面情報を表示手段に表示させる表示手順と、
該コンピュータに、外部出力機能がオンに設定されていると、該記憶手段に格納された画面情報のうち外部出力するべき任意の画面情報を外部へ出力させると共に該表示手段に表示させる出力制御手順とを含み、
該出力制御手順は、該コンピュータに、該外部出力機能がオンに設定されている状態で着信があると、該任意の画面情報の外部への出力を継続させ、該記憶手段に格納されている該着信画面情報を該表示手段に表示させることを特徴とする、プログラム。
【発明の詳細な説明】
【技術分野】
【０００１】
本発明は電子装置に係り、特に自装置の表示部に表示する画面情報を外部へ出力する機能を備えた携帯電話等の電子装置、画面情報出力方法及びプログラムに関する。
【背景技術】
【０００２】
電子装置には、自装置の表示部に表示する画面情報を外部へ出力する機能を備えたものがある。この機能は、特に携帯型電子装置のように表示部が比較的小さい場合に、画面情報を外部の情報処理装置が有するより大きな表示部やモニタ装置等に表示したり、画面情報を外部の情報処理装置を介してプロジェクタ装置によりスクリーンに投影したりするのに用いられる。
【０００３】
携帯電話にも、上記の如く自装置の表示部に表示する画面情報を外部へ出力する機能を備えたものがある。しかし、携帯電話の画面情報をモニタ装置等に表示中に携帯電話に着信があると、画面情報の外部への出力は停止される。これは、携帯電話の着信画面がモニタ装置等に表示されてしまうことを防止するためである。携帯電話の着信画面には、発呼側の電話番号が表示され、発呼側の電話番号が携帯電話内の電話帳に登録されていると発呼側のユーザ名等も表示されてしまうので、個人情報を保護する上でも、着信画面が不用意に第三者に対して表示されることは防止する必要がある。又、着信画面が携帯電話のユーザによりカストマイズされている場合にも、カストマイズされた個人的な着信画面が不用意に第三者に対して表示されることは防止することが望ましい。
【０００４】
尚、特許文献１には、情報表示機能付け携帯電話が提案されており、特許文献２には、２画面連動映像配信システムが提案されている。
【特許文献１】特開２００２−１１１８０２号公報
【特許文献２】特開２００３−３１９０９７号公報
【発明の開示】
【発明が解決しようとする課題】
【０００５】
しかし、携帯電話の画面情報を外部へ出力してモニタ装置等に表示することで顧客向けのプレゼンテーション等を行っている時に携帯電話に着信があると、画面情報の外部への出力は停止されてしまうので、プレゼンテーション等は中断されてしまう。つまり、携帯電話の画面情報を外部へ出力してモニタ装置等に表示中に携帯電話に着信があると、モニタ装置等の表示は直ちに停止されてしまうという問題があった。
【０００６】
顧客向けプレゼンテーション等を行っている時に、モニタ装置等の表示が携帯電話の着信により何の予告もなしにいきなり停止されてしまうと、顧客への印象が悪くなりかねない。
【０００７】
そこで、本発明は、電子装置の画面情報を外部へ出力中に電子装置に着信があっても、電子装置の着信画面以外の画面情報を継続して外部へ出力可能な電子装置、画面情報出力方法及びプログラムを提供することを目的とする。
【課題を解決するための手段】
【０００８】
上記の課題は、着信画面情報を含む複数の画面情報を格納する記憶手段と、該画面情報を表示する表示手段と、外部出力機能がオンに設定されていると、該記憶手段に格納された画面情報のうち外部出力するべき任意の画面情報を外部へ出力すると共に該表示手段に表示する出力制御手段とを備え、該出力制御手段は、該外部出力機能がオンに設定されている状態で着信があると、該任意の画面情報の外部への出力を継続し、該記憶手段に格納されている該着信画面情報を該表示手段に表示することを特徴とする電子装置によって達成できる。
【０００９】
上記の課題は、着信画面情報を含む複数の画面情報を格納する記憶手段と、該画面情報を表示する表示手段と、外部出力機能がオンに設定されていると、該記憶手段に格納された画面情報のうち外部出力するべき任意の画面情報を外部へ出力すると共に該表示手段に表示する出力制御手段とを備え、該出力制御手段は、該外部出力機能がオンに設定されると、自動的に留守番サービス機能をオンに設定し、該留守番サービス機能がオンに設定されていると、あたかも圏外にあるかのように振舞うと共に着信は留守番サービスセンタで代わって行われることを特徴とする電子装置によっても達成できる。
【００１０】
上記の課題は、記憶手段に格納された着信画面情報を含む複数の画面情報を表示手段に表示する表示ステップと、外部出力機能がオンに設定されていると、該記憶手段に格納された画面情報のうち外部出力するべき任意の画面情報を外部へ出力すると共に該表示手段に表示する出力制御ステップとを含み、該出力制御ステップは、該外部出力機能がオンに設定されている状態で着信があると、該任意の画面情報の外部への出力を継続し、該記憶手段に格納されている該着信画面情報を該表示手段に表示することを特徴とする画面情報出力方法によっても達成できる。
【００１１】
上記の課題は、コンピュータに画面情報を出力させるプログラムであって、該コンピュータに、記憶手段に格納された着信画面情報を含む複数の画面情報を表示手段に表示させる表示手順と、該コンピュータに、外部出力機能がオンに設定されていると、該記憶手段に格納された画面情報のうち外部出力するべき任意の画面情報を外部へ出力させると共に該表示手段に表示させる出力制御手順とを含み、該出力制御手順は、該コンピュータに、該外部出力機能がオンに設定されている状態で着信があると、該任意の画面情報の外部への出力を継続させ、該記憶手段に格納されている該着信画面情報を該表示手段に表示させることを特徴とするプログラムによっても達成できる。
【発明の効果】
【００１２】
本発明によれば、電子装置の画面情報を外部へ出力中に電子装置に着信があっても、電子装置の着信画面以外の画面情報を継続して外部へ出力可能な電子装置、画面情報出力方法及びプログラムを実現することができる。
【発明を実施するための最良の形態】
【００１３】
以下に、本発明になる電子装置、画面情報出力方法及びプログラムの各実施例を、図面と共に説明する。
【実施例】
【００１４】
図１は、本発明になる電子装置の第１実施例の要部の構成を示すブロック図である。電子装置の第１実施例では、本発明になる画面情報出力方法の第１実施例及び本発明になるプログラムの第１実施例を採用する。本実施例では、本発明が携帯電話に適用されているが、本発明は画面情報を外部へ出力する機能及び着信機能を備えたＰＤＡ等の各種電子装置に同様に適用可能であることは、言うまでもない。尚、電子装置は、携帯型である必要はない。
【００１５】
図１において、携帯電話１は、無線部１１、デジタルベースバンド（ＤＢＢ：Digital  Base  Band）部１２、アプリケーション実行（ＡＰＬ：Application）部１３、グラフィック制御部１４、ＬＣＤ部１５、デコーダ部１６からなる。ＡＰＬ部１３は、ＣＰＵ等のプロセッサ（図示せず）とメモリ（図示せず）により構成され、プロセッサによりメモリに格納された各種アプリケーションを実行する。グラフィック制御部１４は、複数の画面情報を格納可能な記憶部又は記憶手段を構成するビデオＲＡＭ（ＶＲＡＭ）１４１と、画面情報を出力するビデオアウトユニット（ＶＯＵ：Video  Out  Unit）１４２を有する。ＬＣＤ部１５はバッファ１５１を有し、デコーダ部１６はバッファ１６１を有する。本実施例では、ＬＣＤ部１５はタッチパネルで構成されているので、キーボード等の入力部（又は、入力手段）と表示部（又は、表示手段）とが一体的に設けられているが、ＬＣＤ部１５が入力部を含まない場合には別途キーボード等の入力部を設けてＡＰＬ部に接続するようにしても良い。
【００１６】
無線部１１は、周知の方法で送信する送信部と周知の方法で受信する受信部とを有する。ＤＢＢ部１２は、携帯電話１のマイクロホン等からなる音声入力部の出力を無線部１１を介した送信に適した形式へ処理すると共に、無線部１１を介して受信した情報を携帯電話１のスピーカ等からなる音声出力部への入力に適した形式へ処理する機能を含む周知のベースバンドチップ（Baseband  Chip）である。ＡＰＬ部１３は、携帯電話１の送信アプリケーション、着信アプリケーション、外部出力アプリケーション等の各種アプリケーションを実行する周知のアプリケーションチップ（Application  Chip）で構成されたアプリケーション実行手段である。グラフィック制御部１４は、受信した画面情報、携帯電話１のカメラ（図示せず）で撮像して送信する画面情報やＶＲＡＭ１４１に格納されている画面情報等をＬＣＤ部１５に供給して表示部に表示する。ＬＣＤ部１５は、グラフィック制御部１４から供給された画面情報を一旦バッファ１５１に格納してから表示部に表示する。又、グラフィック制御部１４は、外部出力機能がオンに設定され外部出力アプリケーションが起動されている時には、ＶＲＡＭ１４１に格納されている画面情報をＶＯＵ１４２を介してデコーダ部１６に供給する。デコーダ部１６は、ＶＯＵ１４２を介して供給される画面情報を一旦バッファ１６１に格納してから外部装置２１による表示に適した形式に処理し、出力ポート（図示せず）を介して外部装置２１に供給する。グラフィック制御部１５及びデコーダ部１６は、携帯電話１のプロセッサと共に出力制御部又は出力制御手段を構成する。
【００１７】
携帯電話１のデコーダ部１６は、出力ポートを介して有線及び／又は無線により外部装置２１に接続されている。外部装置２１は、例えばモニタ装置からなる。モニタ装置は、表示部を有する情報処理装置により構成され、例えば周知の構成のパーソナルコンピュータであっても良い。尚、携帯電話１に接続される外部装置２１はモニタ装置に限定されず、プロジェクタ装置等であっても良い。携帯電話１から外部へ出力された画面情報は、外部装置２１がモニタ装置の場合はモニタ装置の表示部に表示され、外部装置２１がプロジェクタ装置の場合はプロジェクタ装置によりスクリーン等に投影される。
【００１８】
尚、携帯電話１内のＬＣＤ部１５の表示部に表示される画面情報と、携帯電話１内のデコーダ部１６から外部へ出力される画面情報とは、いずれも静止画像情報を含むものであっても、動画像情報を含むものであっても、静止画像情報及び動画像情報の両方を含むものであっても良い。又、デコーダ部１６から出力ポートを介して外部装置２１へ出力される画面情報は、本実施例では例えばＮＴＳＣ方式に準拠するビデオ信号であるが、他の方式に準拠するビデオ信号であっても、ＲＧＢ信号であっても良い。
【００１９】
携帯電話１の基本構成は、言うまでもなく、図１に示すものに限定されるものではない。
【００２０】
図２は、電子装置の第１実施例の動作を説明するフローチャートである。同図に示す処理は、携帯電話１内のプロセッサがプログラムの第１実施例を実行することにより行われる。同図中、ステップＳ１は、外部出力機能がオンに設定されているか否かを判定する。携帯電話１のユーザがＬＣＤ部１５の入力部から外部出力機能を選択すると、外部出力機能がオンに設定され、外部出力アプリケーションが起動されるので、ステップＳ１の判定結果はＹＥＳとなり、処理はステップＳ２へ進む。他方、ステップＳ１の判定結果がＮＯであると、処理は本発明の要旨とは直接関係がない携帯電話１の他の処理へ移行する。
【００２１】
ステップＳ２は、ＬＣＤ部１５の入力部からの指示に応じて、グラフィック制御部１４内のＶＲＡＭ１４１のＬＣＤ領域に格納されている外部出力するべき画面情報を、ＶＲＡＭ１４１のＬＣＤ領域とは異なる外部出力領域に書き込む。これにより、ＶＲＡＭ１４１のＬＣＤ領域に格納されている外部出力するべき画面情報はＬＣＤ部１５の表示部に表示されると共に、ＶＲＡＭ１４１の外部出力領域に格納された同じ画面情報がデコーダ部１６を介して外部へ出力される。この状態では、携帯電話１の操作系（ＬＣＤ部１５の入力部の操作による入力や指示）は、外部出力アプリケーションにより処理される。
【００２２】
ステップＳ３は、携帯電話１に着信があったか否かを判定し、判定結果がＮＯであると、処理はステップＳ２へ戻る。他方、ステップＳ３の判定結果がＹＥＳであると、ステップＳ４は、着信アプリケーションを起動し、ＬＣＤ部１５の入力部の操作に応じて通話開始や留守電サービスを利用していれば留守番サービスセンタからの伝言受領等の周知の処理を行う。ステップＳ５は、着信アプリケーションの制御下でＶＲＡＭ１４１のＬＣＤ領域に格納されている着信画面の画面情報をＬＣＤ部１５の表示部に表示すると共に、外部出力アプリケーションの制御下でＶＲＡＭ１４１の外部出力領域に格納されている外部出力するべき画面情報をデコーダ部１６を介して外部へ出力する。この状態では、携帯電話１の操作系は外部出力アプリケーションから着信アプリケーション切り替えられており、携帯電話１の操作系は着信アプリケーションにより処理される。ステップＳ６は、発呼側のオンフック又はＬＣＤ部１５の入力部の操作によるオンフックに応答して通話を終了し、着信アプリケーションを終了する。
【００２３】
ステップＳ７は、外部出力アプリケーションの制御下で、グラフィック制御部１４からＬＣＤ部１５への出力を、ＶＲＡＭ１４１のＬＣＤ領域に格納されている着信画面の画面情報からＶＲＡＭ１４１のＬＣＤ領域に格納されている外部出力するべき画面情報に切り替えて、ＬＣＤ部１５の表示部に表示する。これと同時に、ステップＳ７は、ＶＲＡＭ１４１の外部出力領域に格納されている外部出力するべき画面情報をデコーダ部１６を介して外部へ出力する。この状態では、携帯電話１の操作系は着信アプリケーションから外部出力アプリケーション切り替えられており、携帯電話１の操作系は外部出力アプリケーションにより処理される。ステップＳ７の後、処理はステップＳ２へ戻る。
【００２４】
携帯電話１の操作系を外部出力アプリケーションと着信アプリケーションとの間で切り替える切り替え処理は、携帯電話１のプロセッサで行っても、グラフィック制御部１４で行っても良い。つまり、プロセッサ又はグラフィック制御部１４は、切り替え処理を行う切り替え部又は切り替え手段を構成する。
【００２５】
図３は、電子装置の第１実施例の画面情報を説明する図である。ここでは、説明の便宜上、携帯電話１に外部装置２１としてプロジェクタ装置が接続されている場合を示す。同図の右側は、携帯電話１の操作系が外部出力アプリケーションで処理されている状態でＬＣＤ部１５の表示部に表示される表示画面１５５−１と、携帯電話１の着信により操作系が着信アプリケーションに切り替えられた状態でＬＣＤ部１５の表示部に表示される表示画面１５５−２を示す。他方、同図の左側は、携帯電話１から外部出力されプロジェクタ装置２１によりスクリーン等に投影された表示画面２１５を示し、この表示画面２１５は携帯電話１の操作系が外部出力アプリケーションから着信アプリケーションに切り替えられても、携帯電話１のＬＣＤ部１５の表示部に表示される表示画面のように切り替えられない。
【００２６】
従って、携帯電話１の着信時に外部装置２１への画面情報の出力が停止することなく、且つ、携帯電話１の着信画面が外部装置２１に出力されて表示されてしまう不都合も防止できる。携帯電話１の着信画面には、発呼側の電話番号が表示され、発呼側の電話番号が携帯電話１内の電話帳に登録されていると発呼側のユーザ名等も表示されてしまうので、個人情報を保護する上でも、着信画面が不用意に第三者に対して表示されることを防止するメリットは大きい。又、着信画面が携帯電話１のユーザによりカストマイズされている場合にも、カストマイズされた個人的な着信画面が不用意に第三者に対して表示されることを防止できるので好都合である。
【００２７】
携帯電話１において表示される画面には、着信時に表示される着信画面の他にも、応答保留画面、留守電画面、着信拒否画面、転送電話画面等があるが、応答保留画面、留守電画面、着信拒否画面、転送電話画面等は着信後、即ち、着信画面が表示されてから表示されるものであり、対応する応答保留アプリケーション、留守電アプリケーション、着信拒否アプリケーション、転送電話アプリケーション等は着信アプリケーションの一部とみなすことができる。従って、応答保留画面、留守電画面、着信拒否画面、転送電話画面等も、着信画面と同様に、外部出力機能がオンに設定されていても携帯電話１の外部へ出力されることはない。
【００２８】
尚、図３に示す携帯電話１では、ＬＣＤ部１５が入力部を含まない構成を有し、入力部を構成するキーボード（又は、キーパッド）はＬＣＤ部１５の表示部とは別に設けられている場合を示す。
【００２９】
図４は、電子装置の第２実施例の動作を説明するタイムチャートである。電子装置の第２実施例では、本発明になる画面情報出力方法の第２実施例及び本発明になるプログラムの第２実施例を採用する。電子装置の本実施例の基本構成は、図１に示す第１実施例と同様であるが、本実施例では、ＬＣＤ部１５が主表示部と副表示部とを備える。主表示部は、副表示部より大きな表示領域を有する。携帯電話１が例えば折りたたみ式の場合、主表示部は携帯電話１の蓋を開けた状態（例えば図３に示す状態）で見える位置に設けられており、副表示部は携帯電話１の蓋を閉じた状態でも見える背面等の位置に設けられている。主表示部は、上記第１実施例における表示部に対応し、副表示部は、補足的な情報や画面を表示するのに用いられる。
【００３０】
図４は、携帯電話１、ＬＣＤ部１５の主表示部１５８、ＬＣＤ部１５の副表示部１５９、携帯電話１の画面情報を外部出力することで外部装置２１により表示される外部出力表示、及び操作系の状態を示す。
【００３１】
携帯電話１の外部出力機能がオンに設定され、操作系が外部出力アプリケーションにより処理される状態では、主表示部１５８と外部出力表示の内容は同じであり、本実施例では、副表示部１５９には特に情報は表示されない。携帯電話１に着信があり操作系が着信アプリケーションで処理される状態に切り替えられると、外部出力表示の内容は変わらないが、主表示部１５８には着信画面が表示され、副表示部１５９には着信を示す簡略化された着信画面が表示される。この状態で、携帯電話１は、オンフックとなるまでは応答保留、留守電、着信拒否、転送電話等の着信時の処理を行う。携帯電話１がオンフック状態になると、操作系が外部出力アプリケーションで処理される状態に切り替えられる。この結果、主表示部１５８と外部出力表示の内容は同じとなり、本実施例では、副表示部１５９には特に情報は表示されない。
【００３２】
尚、携帯電話１の外部出力機能がオンに設定されている状態での着信時の着信音の有無、バイブレータの有無や種類、副表示部の表示の有無等は、外部出力機能がオフに設定されている状態での着信時に対するものと別々に設定可能としても良い。
【００３３】
次に、本発明になる電子装置の第３実施例を、図５と共に説明する。電子装置の第３実施例では、本発明になる画面情報出力方法の第３実施例及び本発明になるプログラムの第２実施例を採用する。図５は、電子装置の本実施例の動作を説明するフローチャートである。同図に示す処理は、携帯電話１内のプロセッサがプログラムの第３実施例を実行することにより行われる。電子装置の本実施例の基本構成は、図１に示す第１実施例と同様である。
【００３４】
図５において、ステップＳ１１は、外部出力機能がオンに設定されているか否かを判定する。携帯電話１のユーザがＬＣＤ部１５の入力部から外部出力機能を選択すると、外部出力機能がオンに設定され、外部出力アプリケーションが起動されるので、ステップＳ１１の判定結果はＹＥＳとなり、処理はステップＳ１２へ進む。他方、ステップＳ１１の判定結果がＮＯであると、処理は本発明の要旨とは直接関係がない携帯電話１の他の処理へ移行する。
【００３５】
ステップＳ１２は、自動的に携帯電話１の留守番サービス機能をオンに設定する。留守番サービス機能がオンに設定されていると、携帯電話１への着信は留守番サービスセンタ（図示せず）で代わりに受けられて、発呼側からの伝言が周知の方法で録音される。留守番サービスセンタで録音された伝言は、携帯電話１から留守番サービスセンタへ問い合わせを行うことで、周知の方法で受領（再生）可能である。携帯電話１の留守番サービス機能がオンに設定されていると、携帯電話１への着信があっても、携帯電話１はあたかも圏外にあるかのように振舞うので、実際に携帯電話１が着信状態になることはない。
【００３６】
ステップＳ１３は、ＬＣＤ部１５の入力部からの指示に応じて、グラフィック制御部１４内のＶＲＡＭ１４１のＬＣＤ領域に格納されている外部出力するべき画面情報を、ＶＲＡＭ１４１の外部出力領域に書き込む。これにより、ＶＲＡＭ１４１のＬＣＤ領域に格納されている外部出力するべき画面情報はＬＣＤ部１５の表示部に表示されると共に、ＶＲＡＭ１４１の外部出力領域に格納された同じ画面情報がデコーダ部１６を介して外部へ出力される。この状態では、携帯電話１の操作系（ＬＣＤ部１５の入力部の操作による入力や指示）は、外部出力アプリケーションにより処理される。
【００３７】
ステップＳ１４は、留守番サービス機能がオフに設定されたか否かを判定する。携帯電話１のユーザがＬＣＤ部１５の入力部からの留守番サービス機能をオフに設定すると、ステップＳ１４の判定結果がＹＥＳとなり、処理はステップＳ１１へ戻る。
【００３８】
本実施例によれば、携帯電話１の外部出力機能がオンに設定されると、自動的に携帯電話１の留守番サービス機能がオンに設定されるので、携帯電話１の外部出力機能を用いている間は携帯電話１自身による着信は行われず、着信画面等が外部出力されることがない。
【００３９】
又、上記第１又は第２実施例の機能（又は、モード）、又は、上記第３実施例の機能（又は、モード）を、入力部からの指示に基づいて選択可能となるように携帯電話１を構成しても良いことは、言うまでもない。
【００４０】
ＣＰＵ等のプロセッサ、即ち、コンピュータが実行する本発明になるプログラムは、磁気記録媒体、光記録媒体、光磁気記録媒体や半導体記憶装置等の、プログラムをコンピュータ読み取り可能に格納できる各種記録媒体に格納されていても、他のコンピュータからネットワークを介してダウンロードされるものであっても良い。
【００４１】
尚、本発明は、以下に付記する発明をも包含するものである。
（付記１）  着信画面情報を含む複数の画面情報を格納する記憶手段と、
該画面情報を表示する表示手段と、
外部出力機能がオンに設定されていると、該記憶手段に格納された画面情報のうち外部出力するべき任意の画面情報を外部へ出力すると共に該表示手段に表示する出力制御手段とを備え、
該出力制御手段は、該外部出力機能がオンに設定されている状態で着信があると、該任意の画面情報の外部への出力を継続し、該記憶手段に格納されている該着信画面情報を該表示手段に表示することを特徴とする、電子装置。
（付記２）  入力手段と、
外部出力アプリケーション及び着信アプリケーションを含む、複数のアプリケーションを実行するアプリケーション実行手段と、
該外部出力機能がオンに設定されている状態では、該入力手段の操作による入力や指示を該外部出力アプリケーションで処理し、着信があると該着信アプリケーションで処理し、通話終了後には該外部出力アプリケーションで処理するようにアプリケーションを切り替える切り替え処理を行う切り替え手段とを更に備えたことを特徴とする、付記１記載の電子装置。
（付記３）  該記憶手段は、該表示手段に表示するべき画面情報を格納する第１の領域と、該第１の領域とは異なり外部出力するべき画面情報を格納する第２の領域とを含み、
該出力制御手段は、該外部出力機能がオンに設定されていると、該第１の領域に格納された該表示手段に表示するべき画面情報を該第２の領域に書き込むことを特徴とする、付記１又は２記載の電子装置。
（付記４）  該出力制御手段は、該外部出力機能がオンに設定されている状態で着信があると、該記憶手段の該第２の領域に格納されている該任意の画面情報の外部への出力を継続し、該記憶手段の該第１の領域に格納されている該着信画面情報を該表示手段に表示することを特徴とする、付記３記載の電子装置。
（付記５）  該外部出力機能がオンに設定されている状態での着信時の着信音の有無、バイブレータの有無や種類、副表示部の表示の有無は、該外部出力機能がオフに設定されている状態での着信時に対するものと別々に設定可能であることを特徴とする、付記１〜４のいずれか１項記載の電子装置。
（付記６）  該出力制御手段は、該任意の画面情報を該外部出力が供給される外部装置による表示に適した形式に処理するデコーダ部を含むことを特徴とする、付記１〜４のいずれか１項記載の電子装置。
（付記７）  着信画面情報を含む複数の画面情報を格納する記憶手段と、
該画面情報を表示する表示手段と、
外部出力機能がオンに設定されていると、該記憶手段に格納された画面情報のうち外部出力するべき任意の画面情報を外部へ出力すると共に該表示手段に表示する出力制御手段とを備え、
該出力制御手段は、該外部出力機能がオンに設定されると、自動的に留守番サービス機能をオンに設定し、
該留守番サービス機能がオンに設定されていると、あたかも圏外にあるかのように振舞うと共に着信は留守番サービスセンタで代わって行われることを特徴とする、電子装置。
（付記８）  記憶手段に格納された着信画面情報を含む複数の画面情報を表示手段に表示する表示ステップと、
外部出力機能がオンに設定されていると、該記憶手段に格納された画面情報のうち外部出力するべき任意の画面情報を外部へ出力すると共に該表示手段に表示する出力制御ステップとを含み、
該出力制御ステップは、該外部出力機能がオンに設定されている状態で着信があると、該任意の画面情報の外部への出力を継続し、該記憶手段に格納されている該着信画面情報を該表示手段に表示することを特徴とする、画面情報出力方法。
（付記９）  コンピュータに画面情報を出力させるプログラムであって、
該コンピュータに、記憶手段に格納された着信画面情報を含む複数の画面情報を表示手段に表示させる表示手順と、
該コンピュータに、外部出力機能がオンに設定されていると、該記憶手段に格納された画面情報のうち外部出力するべき任意の画面情報を外部へ出力させると共に該表示手段に表示させる出力制御手順とを含み、
該出力制御手順は、該コンピュータに、該外部出力機能がオンに設定されている状態で着信があると、該任意の画面情報の外部への出力を継続させ、該記憶手段に格納されている該着信画面情報を該表示手段に表示させることを特徴とする、プログラム。
（付記１０）  記憶手段に格納された着信画面情報を含む複数の画面情報を表示する表示ステップと、
外部出力機能がオンに設定されていると、該記憶手段に格納された画面情報のうち外部出力するべき任意の画面情報を外部へ出力すると共に該表示手段に表示する出力制御ステップとを含み、
該出力制御ステップは、該外部出力機能がオンに設定されると、自動的に留守番サービス機能をオンに設定し、
該留守番サービス機能がオンに設定されていると、あたかも圏外にあるかのように振舞うと共に着信は留守番サービスセンタで代わって行われることを特徴とする、画面情報出力方法。
（付記１１）  コンピュータに画面情報を出力させるプログラムであって、
該コンピュータに、記憶手段に格納された着信画面情報を含む複数の画面情報を表示手段に表示させる表示手順と、
該コンピュータに、外部出力機能がオンに設定されていると、該記憶手段に格納された画面情報のうち外部出力するべき任意の画面情報を外部へ出力させると共に該表示手段に表示させる出力制御手順とを含み、
該出力制御手順は、該コンピュータに、該外部出力機能がオンに設定されると、自動的に留守番サービス機能をオンに設定させ、
該留守番サービス機能がオンに設定されていると、あたかも圏外にあるかのように振舞わせると共に着信は留守番サービスセンタで代わって行わせることを特徴とする、プログラム。
【００４２】
以上、本発明を実施例により説明したが、本発明は上記実施例に限定されるものではなく、本発明の範囲内で種々の変形及び改良が可能であることは言うまでもない。
【図面の簡単な説明】
【００４３】
【図１】本発明になる電子装置の一実施例の要部の構成を示すブロック図である。
【図２】電子装置の第１実施例の動作を説明するフローチャートである。
【図３】電子装置の第１実施例の画面情報を説明する図である。
【図４】電子装置の第２実施例の動作を説明するタイムチャートである。
【図５】電子装置の第３実施例の動作を説明するフローチャートである。
【符号の説明】
【００４４】
１      携帯電話
１１      無線部
１２      ＤＢＢ部
１３      ＡＰＬ部
１４      グラフィック制御部
１５      ＬＣＤ部
１６      デコーダ部
２１      外部装置
【図１】
2007006173.tif 000003
【図２】
2007006173.tif 000004
【図３】
2007006173.tif 000005
【図４】
2007006173.tif 000006
【図５】
2007006173.tif 000007